(57)【特許請求の範囲】
【請求項１】
スペクトラム拡散通信における複数のアンテナを使用したダイバーシチ受信装置において、
複数のアンテナと、
該複数のアンテナからの信号を切り替えて出力する切り替え手段と、
該切り替え手段から出力される、該複数のアンテナからの信号が時間的に交互に配列された信号を受信し、検波する無線受信手段と、
該無線受信手段から出力される、複数のアンテナからの信号の検波信号から、該複数のアンテナからの信号をそれぞれのアンテナからの信号に分離する分離手段と、
該分離手段から出力される信号から逆拡散タイミングを抽出する抽出手段と、
該抽出手段によって抽出された逆拡散タイミングによって、該複数のアンテナからの信号の検波信号を逆拡散してレイク受信し、信号を復号する復号手段と、を備えることを特徴とするダイバーシチ受信装置。
【請求項２】
前記無線受信手段において該複数のアンテナによって受信された信号が時間的に交互に配列した信号に対しＡＬＣ制御を行うＡＬＣ制御手段と、
該ＡＬＣ制御手段が出力する制御情報を該時間的に交互に配列した信号の個々に対応するアンテナ毎に記録しておくＡＬＣ制御用メモリ手段と、
を更に備えることを特徴とする請求項１に記載のダイバーシチ受信装置。
【請求項３】
前記復号手段が出力する復号後の信号の品質を測定し、一定値以上の信号品質が測定された場合、前記切り替え手段に前記複数のアンテナの切り替えを一時停止させ、受信信号の品質が一定値以下に劣化した場合に、前記切り替え手段に前記複数のアンテナの切り替え動作を再開させる受信信号品質測定手段を更に備えることを特徴とする請求項１に記載のダイバーシチ受信装置。
【請求項４】
受信信号の品質として信号電力対雑音電力比を使用することを特長とする請求項３に記載のダイバーシチ受信装置。
【請求項５】
受信信号の品質としてビット・エラー・レートを使用することを特徴とする請求項３に記載のダイバーシチ受信装置。
【請求項６】
前記分離手段は、前記複数のアンテナからの信号が時間的に交互に配列された信号から１つのアンテナから得られた信号のみを抽出することを特徴とする請求項１に記載のダイバーシチ受信装置。
【請求項７】
前記分離手段は、前記複数のアンテナからの信号が時間的に交互に配列された信号を該複数のアンテナのそれぞれに対応する信号に分離することを特徴とする請求項１に記載のダイバーシチ受信装置。
【請求項８】
前記抽出手段は、
相関値を検出するマッチドフィルタ手段と、
該相関値取得手段によって検出された相関値を、該相関値が得られた信号が受信された前記複数のアンテナのそれぞれに対応して格納する格納手段と、
該格納手段に格納された相関値から逆拡散タイミングを検出するサーチャ手段と、
を備えることを特徴とする請求項１に記載のダイバーシチ受信装置。
【請求項９】
前記マッチドフィルタ手段と、前記サーチャ手段は、前記複数のアンテナのそれぞれに対応する数だけ設けられていることを特徴とする請求項８に記載のダイバーシチ受信装置。
【請求項１０】
前記復号手段は、前記複数のアンテナから得られた信号が時間的に交互に配列された信号に対するＡＬＣ制御をキャンセルするＡＬＣキャンセル手段を備えることを特徴とする請求項２に記載のダイバーシチ受信装置。
【請求項１１】
スペクトラム拡散通信における複数のアンテナを使用したダイバーシチ受信方法において、
（ａ）複数のアンテナからの信号を切り替えて出力するステップと、
（ｂ）該ステップ（ａ）で得られる、該複数のアンテナからの信号が時間的に交互に配列された信号を受信し、検波するステップと、
（ｃ）該ステップ（ｂ）で得られる、複数のアンテナからの信号の検波信号から、該複数のアンテナからの信号をそれぞれのアンテナからの信号に分離するステップと、
（ｄ）該ステップ（ｃ）で得られる信号から逆拡散タイミングを抽出するステップと、
（ｅ）該ステップ（ｄ）によって抽出された逆拡散タイミングによって、該複数のアンテナからの信号の検波信号を逆拡散してレイク受信し、信号を復号するステップと、
を備えることを特徴とするダイバーシチ受信方法。
【請求項１２】
（ｆ）前記無線受信手段において該複数のアンテナによって受信された信号が時間的に交互に配列した信号に対しＡＬＣ制御を行うステップと、
（ｇ）該ステップ（ｆ）で得られる制御情報を該時間的に交互に配列した信号の個々に対応するアンテナ毎に記録しておくステップと、
を更に備えることを特徴とする請求項１１に記載のダイバーシチ受信方法。
【請求項１３】
（ｈ）前記ステップ（ｅ）で得られる復号後の信号の品質を測定し、一定値以上の信号品質が測定された場合、前記複数のアンテナの切り替えを一時停止させ、受信信号の品質が一定値以下に劣化した場合に、前記複数のアンテナの切り替え動作を再開させるステップを更に備えることを特徴とする請求項１１に記載のダイバーシチ受信方法。
【請求項１４】
受信信号の品質として信号電力対雑音電力比を使用することを特長とする請求項１３に記載のダイバーシチ受信方法。
【請求項１５】
受信信号の品質としてビット・エラー・レートを使用することを特徴とする請求項１３に記載のダイバーシチ受信方法。
【請求項１６】
前記ステップ（ｃ）では、前記複数のアンテナからの信号が時間的に交互に配列された信号から１つのアンテナから得られた信号のみを抽出することを特徴とする請求項１１に記載のダイバーシチ受信方法。
【請求項１７】
前記ステップ（ｃ）では、前記複数のアンテナからの信号が時間的に交互に配列された信号を該複数のアンテナのそれぞれに対応する信号に分離することを特徴とする請求項１に記載のダイバーシチ受信装置。
【請求項１８】
前記ステップ（ｄ）は、
（ｉ）相関値を検出するステップと、
（ｊ）該ステップ（ｉ）によって検出された相関値を、該相関値が得られた信号が受信された前記複数のアンテナのそれぞれに対応して格納するステップと、
（ｋ）該ステップ（ｊ）で格納された相関値から逆拡散タイミングを検出するステップと、
を備えることを特徴とする請求項１１に記載のダイバーシチ受信方法。
【請求項１９】
（ｌ）前記ステップ（ｅ）は、前記複数のアンテナから得られた信号が時間的に交互に配列された信号に対するＡＬＣ制御をキャンセルするステップを備えることを特徴とする請求項１２に記載のダイバーシチ受信方法。
【発明の詳細な説明】
【０００１】
【発明の属する技術分野】
本発明は、スペクトラム拡散通信におけるダイバーシチ受信装置に関する。
【０００２】
【従来の技術】
携帯電話機等の移動通信機器に用いられる受信回路には、変動する伝送経路による受信品質の劣化を補う為、複数のアンテナを使用したダイバーシチ受信装置を用いることが多い。ダイバーシチ受信装置は、フェージング波を受信した場合に受信信号の品質が劣化する確率を減少させるために使用する。スペクトラム拡散通信においては、複数のアンテナの出力を選択するアンテナダイバーシチと、受信信号の時間差により信号を区別するパスダイバーシチがある。アンテナダイバーシチでは、複数のアンテナ各々に無線受信部を設け、常時全ての受信系を作動させ、良好な受信品質の信号を選択して逆拡散する。
【０００３】
パスダイバーシチでは、伝送経路の違いによる電波の到達時間差を利用して受信信号を分離し、各々の信号を逆拡散し合成することによりダイバーシチの効果を得るものである。
【０００４】
図８は、従来のＣＤＭＡダイバーシチ受信装置の構成例を示す図である。
【０００５】
図８において、２つのアンテナＡ、Ｂにより受信された信号は、無線受信部８３−１、８３−２によって検波される。無線受信部８３−１、８３−２内では、先ず、アンテナＡ、Ｂによって受信された信号は、ＡＬＣ制御器８０−１、８０−２の制御を受けた可変増幅器８２−１、８２−２によって増幅される。次に、ミキサ８１−１、８１−２は、不図示の局部発振器からの、信号の搬送波に対応する周期波を可変増幅器８２−１、８２−２からの信号に乗算し、ＲＦ帯の信号からベースバンド信号への変換を行う。そして、このベースバンド信号は直交検波器８４−１、８４−２によって検波される。ここで、検波器を直交検波器８４−１、８４−２として示しているのは、アンテナＡ、Ｂで受信されるＣＤＭＡ信号のＩ信号とＱ信号とをともに検波することを前提に考えているからである。実際の動作としては、通常の検波器と同様であって、ＣＤＭＡ信号のＩ信号とＱ信号が互いに直交しているために、特に直交検波器と呼んでいる。しかし、同図に示す直交検波器８４−１、８４−２は、受信信号がＩ信号とＱ信号からなっていない場合には、通常の検波器で置き換え可能である。ＡＬＣ制御器８０−１、８０−２は、直交検波器８４−１、８４−２の出力を入力とし、可変増幅器８２−１、８２−２に駆動信号を与えて、無線受信部８３−１、８３−２からの出力が一定になるように制御している。
【０００６】
このように、ＡＬＣ制御器８０−１、８０−２を設けているのは、無線受信部８３−１、８３−２の後段に設けられる、不図示のＡ／Ｄ変換器によって、アナログ信号がデジタル信号に変換される場合の変換精度を良くするためである。すなわち、アンテナＡ及びＢで受信される信号は、フェージング等の影響で信号の強度が変化する。Ａ／Ｄ変換する場合には、変換すべき信号の強度がどの程度であるかを見積もって、変換後のデジタル信号のビット数を決定する。しかし、受信した信号の強度が見積もった値よりもずっと小さい場合には、無線受信部８３−１、８３−２から出力される信号の強度も非常に小さくなってしまう。すると、アナログ信号をデジタル化する場合に、強度を離散化する時の最小の単位が不適切となり、強度の小さなアナログ信号を精度良く、デジタル化できないことになってしまう。すなわち、強度の小さいアナログ信号が僅かに変化した場合、この変化が、強度の小さい信号に対しては相対的には大きな変化であって情報を含むものであったとしても、アナログ値の離散化の最小単位がこの変化よりも大きいことにより、デジタル信号としては、変化のない信号として表現されてしまう。つまり、強度の小さなアナログ信号に対しては、デジタル化雑音が相対的に大きくなってしまって、意味のある信号値の変化がデジタル信号として再生されないという問題を生じる。
【０００７】
従って、無線受信部８３−１、８３−２では、ＡＬＣ制御器８０−１、８０−２の制御の下、受信した信号を全て同じレベルの信号に増幅してから検波し、後段の回路に送るようにしている。
【０００８】
無線受信部８３−１、８３−２から出力された検波信号は、不図示のＡ／Ｄ変換器でデジタル信号に変換されてから、それぞれブランチ選択部８５に入力される。ブランチ選択部８５は、アンテナＡからの信号とアンテナＢからの信号のいずれかを選択し、マッチドフィルタ８６に信号を送信する。ブランチ選択部８５は、サーチャ８７から入力されるブランチ選択指示信号（アンテナＡからの信号を受信する系統をブランチＡと呼び、アンテナＢからの信号を受信する系統をブランチＢと呼ぶ）により、ブランチＡとブランチＢのいずれかを選択する。ブランチ選択部８５から出力された信号は、マッチドフィルタ８６によって、サーチャ８７によって指示された逆拡散符号を使用して、逆拡散され、各タイミングでの相関値が算出される。マッチドフィルタ８６によって取得された相関値はサーチャ８７に送られる。サーチャ８７は、現在送られてきている相関値が、ブランチＡのものか、ブランチＢのものかを、ブランチ選択部８５に送っているブランチ選択指示信号の内容から判断し、ブランチＡの場合には、各相関値をアンテナＡ用遅延プロファイルメモリ８８−１に記憶させる。サーチャ８７が、現在の相関値がブランチＢのものであると判断した場合には、各相関値をアンテナＢ用遅延プロファイルメモリ８８−２に記憶させる。
【０００９】
サーチャ８７は、次に、アンテナＡ用遅延プロファイルメモリ８８−１とアンテナＢ用遅延プロファイルメモリ８８−２からそれぞれ相関値を読み出し、所定値以上の値を示している相関値とその逆拡散タイミングを取得する。逆拡散タイミングは、相関値を時系列に記憶しておき、メモリ内容の最初のタイミングを保持しておけば、容易に取得可能である。サーチャ８７がこのようにして取得した複数の逆拡散タイミングは、それぞれ、マルチパスによる遅延によって生じたタイミングのずれであり、マッチドフィルタ８６で同じ逆拡散符号で逆拡散しているので、同じチャネルの信号である。サーチャ８７は、逆拡散に用いた符号と上記のようにして得られた複数の逆拡散タイミングをフィンガ割り当て部９０に送る。
【００１０】
フィンガ割り当て部９０は、複数設けられているフィンガ９１−１〜９１−ｎに対し、サーチャ８７から送られてくる逆拡散符号と複数の逆拡散タイミングを割り当て、それぞれに逆拡散を行わせる。フィンガ９１−１〜９１−ｎは、それぞれスライディング相関器と同期検波器とからなっており、フィンガ割り当て部９０によって割り当てられた逆拡散符号をそれぞれに割り当てられた逆拡散タイミングで逆拡散し、伝送されてきた信号を検波する。すなわち、携帯端末におけるＣＤＭＡ通信においては、マルチパスフェージングの為、同じチャネルの信号であっても、逆拡散すべきタイミングが異なってくる。そこで、サーチャ８７が、マッチドフィルタ８６から得られた相関値から、逆拡散タイミングの候補を複数選びだし、それぞれのタイミングでフィンガ９１−１〜９１−ｎに逆拡散を行わせ、信号の検波を行わせるのである。各フィンガ９１−１〜９１−ｎが逆拡散する信号は、同図に示されるように、無線受信部８３−１、８３−２から不図示のＡ／Ｄ変換器を介してフィンガ割り当て部９０に直接入力されている信号である。これらの信号を同じ逆拡散符号で逆拡散した結果、同じチャネルの信号を再生することになる。これら逆拡散された信号は、ＡＬＣキャンセル部９４に入力される。ＡＬＣキャンセル部９４は、ＡＬＣ制御器８０−１、８０−２からどのブランチの信号は何倍に増幅したかという情報を取得し、例えば、ｎ倍に増幅された信号を１／ｎ倍して、ＡＬＣ制御による増幅結果をキャンセルする。これは、ＡＬＣ制御によって微弱な信号が強度の強い信号と同じレベルまで増幅された場合には、微弱な信号に付随するノイズが強度の強い信号に付随するノイズよりもより増幅されているので、そのまま逆拡散された信号を合成するとノイズの影響を強く受けてしまうからである。したがって、ＡＬＣキャンセル部９４は、ＡＬＣ制御によって行われた信号の増幅をキャンセルし、合成部９２に入力する。合成部９２では、ＡＬＣキャンセル部９４によって増幅作用がキャンセルされた、フィンガ９１−１〜９１−ｎからの同期検波信号が加算される。加算する場合に、各フィンガ９１−１〜９１−ｎは、異なるタイミングで逆拡散を行っているので、同期検波信号が出力されるタイミングも異なってくる。従って、合成部９２では、ＲＡＭなどを設けておき、各フィンガ９１−１〜９１−ｎからの同期検波信号を一旦記憶し、全ての信号を同期してＲＡＭから出力してから加算するようにする。加算することによって、複数のパスを通って送信されてきた信号の信号劣化を平均化することができる。そして、加算された信号は復号器９３によって復号され、後段のデータ受信部（不図示）に送られる。このように、フィンガ９１−１〜９１−ｎを複数設けて、ほぼ同時に異なるタイミングでの逆拡散処理と同期検波を行う受信方法を、レイク受信という。
【００１１】
【発明が解決しようとする課題】
ところで、スペクトラム拡散通信携帯端末の開発において、重要な課題の１つは、小スペース化、低消費電流化である。
【００１２】
このため、ＬＳＩ化の難しい無線受信部をアンテナの数だけ用意しなければならない従来のダイバーシチ受信回路は、この課題に対し大きな足かせとなる。
【００１３】
本発明の課題は、ダイバーシチ受信回路の、小スペース化、低消費電流化の可能な構成を提供することである。
【００１４】
【課題を解決するための手段】
本発明のダイバーシチ受信装置は、スペクトラム拡散通信における複数のアンテナを使用したダイバーシチ受信装置において、複数のアンテナと、該複数のアンテナからの信号を切り替えて出力する切り替え手段と、該切り替え手段から出力される、該複数のアンテナからの信号が時間的に交互に配列された信号を受信し、検波する無線受信手段と、該無線受信手段から出力される、複数のアンテナからの信号の検波信号から、該複数のアンテナからの信号をそれぞれのアンテナからの信号に分離する分離手段と、該分離手段から出力される信号から逆拡散タイミングを抽出する抽出手段と、該抽出手段によって抽出された逆拡散タイミングによって、該複数のアンテナからの信号の検波信号を逆拡散してレイク受信し、信号を復号する復号手段とを備えることを特徴とする。
【００１５】
本発明のダイバーシチ受信方法は、スペクトラム拡散通信における複数のアンテナを使用したダイバーシチ受信方法において、（ａ）複数のアンテナからの信号を切り替えて出力するステップと、（ｂ）該ステップ（ａ）で得られる、該複数のアンテナからの信号が時間的に交互に配列された信号を受信し、検波するステップと、（ｃ）該ステップ（ｂ）で得られる、複数のアンテナからの信号の検波信号から、該複数のアンテナからの信号をそれぞれのアンテナからの信号に分離するステップと、（ｄ）該ステップ（ｃ）で得られる信号から逆拡散タイミングを抽出するステップと、（ｅ）該ステップ（ｄ）によって抽出された逆拡散タイミングによって、該複数のアンテナからの信号の検波信号を逆拡散してレイク受信し、信号を復号するステップとを備えることを特徴とする。
【００１６】
本発明によれば、ダイバーシチ受信をするために複数のアンテナを設けたとしても、アンテナからの信号を検波する構成を複数のアンテナに共通に１つだけ設ければ良い。従って、アンテナ数が増えたとしても、検波するために必要な構成は１つのみで変わらないので、ハードウェア構成が簡単になり、装置の小型化（小スペース化）を実現することが出来る。また、検波するための構成が複数のアンテナに対して共通に１つだけ設けられるだけであるので、消費電力を少なくすることが出来る。
【００１７】
【発明の実施の形態】
図１は、本発明の第１の実施形態を示す図である。
【００１８】
本実施形態においては、ダイバーシチ受信を行うため、２つのアンテナＡ、Ｂを設ける。アンテナＡ、Ｂは、アンテナ切り替え器１に接続されている。アンテナ切り替え器１は、所定の時間間隔でアンテナＡとアンテナＢとを切り替え、交互に、アンテナＡからの信号とアンテナＢからの信号を出力するようにしている。アンテナ切り替え器１から出力された信号は、無線受信部２において、ベースバンド信号に変換され、直交検波された後、逆拡散部３に送られる。また、無線受信部２からの信号は、ブランチ選択部４にも入力される。ブランチ選択部４に入力される信号は、アンテナ切り替え器１がアンテナＡからの信号とアンテナＢからの信号とを切り替えているので、アンテナＡからの信号とアンテナＢからの信号とが交互に時系列に並んで入力される。アンテナ切り替え器１は、アンテナ切り替え制御器５によって制御されており、アンテナ切り替えのタイミングもアンテナ切り替え制御器５が管理している。このアンテナ切り替えタイミング信号は、サーチャ７に入力される。サーチャ７では、アンテナＡの信号を処理するか、アンテナＢの信号を処理するかの判断を行い、例えば、アンテナＡからの信号を選択する場合には、アンテナＡからの信号とアンテナＢからの信号が時系列に並んだ信号列からアンテナＡからの信号のみを抽出するように、ブランチ選択部４に対し、制御信号を送信する。ブランチ選択部４は、サーチャ７から送られてくる制御信号（あるいは、アンテナＡの系統（ブランチＡ）あるいはアンテナＢの系統（ブランチＢ）の信号のみを抽出するためのタイミング信号）に基づいて、選択されたブランチの信号のみをマッチドフィルタ６に送信する。
【００１９】
また、無線受信部２からの信号は、ＡＬＣ制御器８にも入力されており、可変増幅器１１の増幅率を調整するように構成されている。すなわち、無線受信部２に入力される信号は、アンテナＡからの信号とアンテナＢからの信号とが交互に時系列で送られてくる。しかし、アンテナＡで受信される信号とアンテナＢで受信される信号とは、一般に電力レベルが異なるので、ＡＬＣ制御器８が、無線受信部２からの信号出力が一定となるように制御する場合、ブランチＡとブランチＢとの切り替えの瞬間に可変増幅器１１の増幅率を急激に変化させなくてはならない。このように急激に増幅率を変化させる場合、切り替えの瞬間では、ＡＬＣ制御が上手く動作せず、無線受信部２の出力における信号のレベルが急激に変化してしまうことが起こる。そこで、無線受信部２から出力される、アンテナＡとアンテナＢからの信号が交互に並んでいる信号のうち、アンテナＡから送られてきた以前の信号をどの位の制御電圧を可変増幅器１１に与えて増幅したかという情報をアンテナＡ用ＡＬＣ制御値メモリ９−１に、アンテナＢから送られてきた以前の信号をどの位の制御電圧を可変増幅器１１に与えて増幅したかという情報をアンテナＢ用ＡＬＣ制御値メモリ９−２に記憶しておき、この記憶内容を参照することにより、アンテナＡからの信号、及びアンテナＢからの信号が切り換えられる瞬間の可変増幅器９の増幅動作を制御する。ＡＬＣ制御器８は、この設定値に従って、ブランチＡとブランチＢの切り替えの瞬間の可変増幅器１１の増幅率を決定し、その後は、ＡＬＣ制御によって、無線受信部２からの出力信号のレベルを一定に保つ制御を行う。このようにすれば、ブランチＡとブランチＢとを切り替える瞬間に生じうる無線受信部２の出力の急激な変化を抑制することができる。
【００２０】
サーチャ７は、従来技術と同じく、アンテナＡ用遅延プロファイルメモリ１２−１、あるいは、アンテナＢ用遅延プロファイルメモリ１２−２に記憶されている複数の相関値の中から所定以上の値を有している相関値とその逆拡散タイミングを取得し、逆拡散部３に与える。逆拡散部３のフィンガ割り当て部、フィンガ、合成部の動作は、従来技術で説明したものと同じであるので説明を省略する。ＡＬＣキャンセル部１４は、サーチャ７からＡＬＣキャンセルを行う信号がどちらのアンテナの信号かの情報を得て、適合するアンテナのＡＬＣ制御値メモリ９−１、９−２よりＡＬＣの制御電圧を読み、増幅率を評価して、その逆数の値でＡＬＣキャンセルを行う。そして、逆拡散部３から出力された信号値は復号器１３で復号され、不図示のデータ処理回路に送られる。
【００２１】
ここで、復号器１３の出力は、受信信号品質測定器１０に送られる。受信信号品質測定器１０は、受信信号のビットエラーレートを測定する回路、あるいは、信号電力対雑音電力比を測定する回路である。
【００２２】
受信信号に挿入されている同期ワードが固定である場合、受信信号品質測定器１０では同期ワードによるのビットエラーレートの測定をある一定時間（数無線フレーム）行い、ビットエラーレートを測定し、ある一定値より少ない場合、アンテナ切り替えを一時停止する（アンテナ固定）。ビットエラーレートがある一定値より大きくなれば、アンテナ切り替えを再開する。あるいは、復号後の信号の信号対雑音比を測定し、その値がある一定値より良い場合、アンテナ切り替えを一時停止する（アンテナ固定）。信号対雑音比がある一定値より悪くなれば、アンテナ切り替えを再開する。
【００２３】
すなわち、復号後の信号にフェージングによる影響が小さいと判断できるある良好な受信品質が得られていると判断された場合には、受信信号品質測定器１０は、アンテナ切り替え器１に切り替え中断信号を送る。この中断信号を受けたアンテナ切り替え器１は、アンテナＡとアンテナＢの切り替えを中断し、いずれかのアンテナからの信号のみを受信するようにする。いずれのアンテナからの信号を受信するかは問題ではない。すなわち、ある良好な受信品質とは、フェージングによる影響が小さく、アンテナダイバーシチを行うメリットが小さいと考えられる、あるいって一以上の品質である。この一定値以上の伝送品質を得られたか否かを受信信号品質測定器１０は測定しており、該一定値以上の伝送品質が得られた場合には、アンテナＡ及びアンテナＢのいずれから信号をとっても品質の良い信号が得られるということができる。よって、アンテナ切り替え器１は、どちらのアンテナを選択するかということは問題とせず、どちらか一方のアンテナを選択する。
【００２４】
図２は、図１における信号線▲１▼、▲２▼、▲３▼の信号のタイミング関係を示すタイミングチャートである。
【００２５】
ここで、受信チップレートを１秒間にｋ個の割合とし、Ａ１、Ａ２、Ａ３・・・は、アンテナＡから受信した受信信号を、Ｂ１、Ｂ２、Ｂ３、・・・は、アンテナＢから受信した受信信号を示すとする。「▲３▼ブランチＡ」と示されている信号は、図１のブランチ選択部４によってブランチＡを選択した場合の信号であり、「▲３▼ブランチＢ」と示されている信号は、ブランチＢを選択した場合の信号である。
【００２６】
図２の▲１▼に示すように、アンテナ切り換え部１は、アンテナＡとアンテナＢとを１秒間に２ｋ回の速度（一定間隔）で切り替える。すなわち、一方のアンテナに切り替えてから、別のアンテナに切り換えられる間にアンテナ切り替え器１から出力される信号の時間的長さは、１／（２ｋ）秒である。従って、アンテナＡとアンテナＢとを１秒間に２ｋ回の速度で切り替えることにより、それぞれ時間的長さが１／（２ｋ）秒の信号がＡ１、Ｂ１、Ａ２、Ｂ２、Ａ３、Ｂ３・・・のようにアンテナ切り替え器１から出力されることになる。これらの信号は、無線受信部２によって増幅され、ベースバンド信号に変換され、直交検波されて、図１の信号線▲２▼のところに出力される。この信号線▲２▼の部分では、既に不図示のＡ／Ｄ変換器によってアナログ信号からデジタル信号に変換されている。信号線▲２▼における信号の様子は、図２の▲２▼に示されているように、やはり、１／（２ｋ）秒間ずつ継続する、アンテナＡからの信号Ａ１、Ａ２、Ａ３・・・とアンテナＢからの信号Ｂ１、Ｂ２、Ｂ３・・・が交互に時系列に配列している状態となる。信号線▲２▼の信号は、そのまま、ブランチ選択部４に入力され、ブランチ選択部４によってブランチＡの信号か、ブランチＢの信号のいずれかが選択されて、出力される。
【００２７】
例えば、ブランチＡの信号が選択された場合には、図２の「▲３▼ブランチＡ」と示されている信号のように、アンテナＡからの信号Ａ１、Ａ２、Ａ３・・・のみを出力している。ブランチ選択部４は、アンテナＡからの信号とアンテナＢからの信号が交互に時系列に配列されて入力される信号の中から、ブランチＡの信号のみを抽出して出力するので、アンテナＢからの信号が入力されている間は、アンテナＢからの信号の１つ前に入力されたアンテナＡの信号を出力し続ける。即ち、図２の「▲３▼ブランチＡ」の信号の図から分かるように、アンテナＡからの１つ１つの信号Ａ１、Ａ２、Ａ３・・・の時間的長さが１／ｋ秒と２倍になっている。ブランチ選択部４のこのような動作を実現する方法の一例として、アンテナＡからの信号とアンテナＢからの信号とをそれぞれ一時記憶するメモリを設けておき、アンテナＢからの信号が入力されているタイミングではアンテナＡの信号を保持しているメモリの内容（例えば、Ａ１）を出力し続け、アンテナＡからの新しい信号（例えば、Ａ２）が入力されたら、その新しい信号をアンテナＡ用メモリに入力すると共に、前の信号（ここでは、Ａ１）の代りに新しい信号（ここでは、Ａ２）を出力するようにする。
【００２８】
ブランチ選択部４で、ブランチＢが選択された場合も同様である。すなわち、ブランチ選択部４の内部で、アンテナＢからの信号Ｂ１、Ｂ２、Ｂ３・・・のみが選択出力される。この様子を示したのが、図２の「▲３▼ブランチＢ」と示されている信号の図である。ブランチＡについて上述したように、アンテナＢからの信号Ｂ１、Ｂ２、Ｂ３・・・のそれぞれの時間的長さは１／ｋ秒となっており、信号線▲２▼からアンテナＡからの信号が入力されている間は、１つ前のアンテナＢからの信号が継続して出力される。
【００２９】
ブランチ選択部４は、アンテナ切り替え制御器５から切り替え制御用の信号を受け取ったサーチャ７が、ブランチＡとブランチＢのいずれかを選択するための信号をブランチ選択部４に送る。サーチャ７からの信号は、例えば、ブランチＡを選択するとすると、図２の▲２▼の信号の図の信号Ａ１、Ａ２、Ａ３・・・の始まりのタイミングで、上述したブランチ選択部４のメモリに信号を読み込ませるような信号である。
【００３０】
図３は、図１の信号線Ａ、Ｂ、Ｃにおける信号の流れとタイミングを示すタイミングチャートである。
【００３１】
同図の「Ａ」はアンテナＡ用ＡＬＣ制御値メモリ９−１からデータをロード（上向き矢印）する場合、及びアンテナＡ用ＡＬＣ制御値メモリ９−１にデータをストア（下向き矢印）する場合のタイミングを表す。信号線▲１▼におけるブランチＡの信号（Ａ１、Ａ２、・・・）の立ち上がりが、アンテナＡ用ＡＬＣ制御値メモリ９−１からデータをロードするためのロード信号、立ち下がりがストア信号に対応する。
【００３２】
同図の「Ｂ」はアンテナＢ用ＡＬＣ制御値メモリ９−２からデータをロード（上向き矢印）する場合、及びアンテナＢ用ＡＬＣ制御値メモリ９−２にデータをストア（下向き矢印）する場合のタイミングを表す。信号線▲１▼におけるブランチＢの信号（Ｂ１、Ｂ２、・・・）の立ち上がりが、アンテナＢ用ＡＬＣ制御値メモリ９−２からデータをロードするためのロード信号、立ち下がりがストア信号に対応する。
【００３３】
同図の「Ｃ」はＨ状態がＡＬＣ制御ＯＮを表し、Ｌ状態がＡＬＣ制御ＯＦＦを表す。また、「Ａ」、「Ｂ」と記載されているのは、ブランチＡの信号の増幅を行っている場合、及び、ブランチＢの信号の増幅を行っている場合をそれぞれ表す。
【００３４】
アンテナＡからアンテナＢにアンテナ切り替え器１が切り替わった直後よりＡＬＣ制御器８は、アンテナＢ用ＡＬＣ制御値メモリ９−２より使用すべき制御電圧値を読み込み（ａの矢印で示される動作）、読み込んだ値を可変増幅器１１へ出力する。直交検波後の信号電力と予め定められた基準電力値とを比較して、無線受信部２内の可変増幅器９を電圧制御し、直交検波後の信号電力と上記基準電力値とを等しくするＡＬＣを行う。このアンテナＡからアンテナＢにアンテナ切り替え器１が切り替わった直後に、同時に、アンテナＡ用ＡＬＣ制御値メモリ９−２に、直前の無線受信部２の可変増幅器１１への制御電圧値をストアする（ｂの矢印で示されている）。そして、アンテナＢからアンテナＡに切り替わる直前に、ＡＬＣ制御器８はアンテナＢ用ＡＬＣ制御値メモリに、その時点で出力している制御電圧値を書込む（ｃの矢印で示されている）。
【００３５】
図４は、本発明の第２の実施形態を示す図である。
【００３６】
なお、同図で、図１の構成と同じ構成要素には同じ参照符号を付して有る。
【００３７】
第１の実施形態ではサーチャとマッチドフィルタは共に１つであったが、本実施形態では、アンテナＡ用と、アンテナＢ用とにそれぞれ設けている。
【００３８】
第１の実施形態ではブランチ選択により、アンテナＡ、アンテナＢいづれかの信号を選択して遅延プロファイル測定していたが、第２の実施形態では、同時に両アンテナの受信信号の遅延プロファイル測定が可能である。なお、本実施形態においても、受信チップレートをｋチップ／秒とすると、アンテナの切り替え速度は１秒間に２ｋ回である。
【００３９】
すなわち、アンテナ切り替え器１によって交互に切り換えられたアンテナＡからの信号とアンテナＢからの信号は、時系列に交互に並んだ形態で無線受信部２に入力される。無心受信部２では、第１の実施形態で説明したようなＡＬＣ制御が行われ、直交検波後の信号が逆拡散部３に入力される。また、この直交検波後の信号は、ブランチ切り替え部２０に入力される。ブランチ切り替え部２０は、時系列に交互に並んだアンテナＡからの信号とアンテナＢからの信号とをそれぞれ分離し、アンテナＡからの信号のみをアンテナＡ用マッチドフィルタ２１−１に、アンテナＢからの信号のみをアンテナＢ用マッチドフィルタ２１−２に入力する。ブランチ切り替え部２０は、アンテナ切り替え制御器５からのアンテナ切り替え器１の制御信号に同期した信号を受け取り、アンテナＡからの信号とアンテナＢからの信号とを分離する。すなわち、ブランチ切り替え部２０は、アンテナＡとアンテナＢとを切り替えるタイミング信号をアンテナ切り替え制御器５から受け取り、アンテナＡとアンテナＢの切り替えのタイミングからアンテナＡの信号とアンテナＢの信号が入力されるタイミングをはかり、例えば、アンテナＡからの信号は、ブランチ切り替え部２０内に設けられるブランチＡ用メモリに記憶させ、アンテナＢからの信号は、ブランチ切り替え部２０内に設けられるブランチＢ用メモリに記憶させるようにする。そして、後述するように、１秒間に２ｋ回（ｋは信号のチップレートであり、単位は回／秒である）の割合で切り換えられている信号を、時間的な長さが１／ｋ秒の信号にしてアンテナＡ用マッチドフィルタ２１−１と、アンテナＢ用マッチドフィルタ２１−２にそれぞれの信号を入力する。
【００４０】
アンテナＡ用マッチドフィルタ２１−１と、アンテナＢ用マッチドフィルタ２１−２からそれぞれ出力される相関値は、それぞれアンテナＡ用サーチャ２２−１と、アンテナＢ用サーチャ２２−２とに入力される。アンテナＡ用サーチャ２２−１とアンテナＢ用サーチャ２２−２では、第１の実施形態のように、マッチドフィルタ２１−１、２１−２で得られた相関値から逆拡散タイミングを取得すると共に、マッチドフィルタ２１−１、２１−２へは、逆拡散に使うべき逆拡散符号を出力する。サーチャ２２−１、２２−２で得られた、逆拡散符号、相関値、及び逆拡散タイミングに関する情報は、それぞれ、アンテナＡ用遅延プロファイルメモリ１２−１、及びアンテナＢ用遅延プロファイルメモリ１２−２に記憶される。次にアンテナＡ用サーチャ２２−１は、アンテナＡ用遅延プロファイルメモリ１２−１から相関値を取得して所定値以上の値になっているかを判断し、所定値以上の相関値を有する逆拡散タイミングを取得する。同様に、アンテナＢ用サーチャ２２−２は、アンテナＢ用遅延プロファイルメモリ１２−２から相関値を取り出し、所定値以上の値になっている相関値を抽出し、抽出された相関値に対応する逆拡散タイミングを取得する。
【００４１】
そして、アンテナＡ用サーチャ２２−１とアンテナＢ用サーチャ２２−２は、逆拡散部３のフィルタ割り当て部に逆拡散符号と逆拡散タイミングを通知すると共に、ＡＬＣキャンセル部１４には、ＡＬＣキャンセル部１４に入力される信号がどちらのアンテナの信号であるかに関する情報を入力する。そして、ＡＬＣキャンセル部１４は、この情報に基づいて、アンテナＡ用ＡＬＣ制御値メモリ９−１及びアンテナＢ用制御値メモリ９−２から、各アンテナからの信号が何倍に増幅されたものかを取得して、ＡＬＣによる増幅作用をキャンセルするように信号のレベルを減衰させる。このようにすることによって、ノイズの影響を抑制することができる。そして、ＡＬＣキャンセル部１４から出力された信号は、合成部で合成され、復号器１３によって復号される。
【００４２】
復号後の信号は、受信信号品質測定器１０で信号の品質が検査され、所定レベル以上の品質が確保されたと判断された場合には、アンテナ切り替え制御器５にアンテナの切り替え動作を停止するように指示を出す。また、復号後の信号の品質が悪くなったことを検出した場合には、受信信号品質測定器１０は、アンテナ切り替え制御器５にアンテナの切り替え動作を再開するように指示を出す。
【００４３】
図５は、第２の実施形態における信号線▲１▼、▲２▼、▲３▼の信号様子を示すタイミングチャートである。
【００４４】
同図においても、アンテナＡとアンテナＢの切り替えは、１秒間にｋ回の割合で行われているとしている。したがって、信号線▲１▼の部分を流れる信号は、アンテナＡの信号Ａ１、Ａ２、Ａ３・・・と、アンテナＢの信号Ｂ１、Ｂ２、Ｂ３・・・がそれぞれ１／（２ｋ）秒の時間間隔で、交互に時系列に配列されている。無線受信部２は、このような信号をそのまま増幅し、ベースバンド信号に変換し、直交検波を行うので、信号線▲２▼の部分の信号の様子は、信号線▲１▼の場合と同様となる。すなわち、アンテナＡからの信号Ａ１、Ａ２、Ａ３・・・と、アンテナＢからの信号Ｂ１、Ｂ２、Ｂ３・・・がそれぞれ、時間的長さが１／（２ｋ）秒の間隔で交互に時系列に配列されたものとなる。
【００４５】
ブランチ切り替え部２０の後段の信号線▲３▼、▲４▼の信号の様子は、同図で▲３▼、▲４▼と示されているようになる。すなわち、本実施形態のブランチ切り替え部２０では、アンテナＡからの信号Ａ１、Ａ２、Ａ３、・・・と、アンテナＢからの信号Ｂ１、Ｂ２、Ｂ３、・・・とをそれぞれ分離し、アンテナＡ用メモリとアンテナＢ用メモリ等にそれぞれ一旦記憶させてから、信号線▲３▼を介して、アンテナＡ用マッチドフィルタ２１−１に信号Ａ１、Ａ２、Ａ３、・・・を、信号線▲４▼を介してアンテナＢ用マッチドフィルタ２１−２に信号Ｂ１、Ｂ２、Ｂ３、・・・を入力する。ブランチ切り替え部２０の動作を第１の実施形態と比較すると、第１の実施形態の場合には、ブランチ切り替え部４は、アンテナＡからの信号とアンテナＢからの信号のいずれかのみを出力していたが、第２の実施形態においては、ブランチ切り替え部２０は、両方のアンテナからの信号をそれぞれ出力している。ブランチ切り替え部２０におけるアンテナＡ及びアンテナＢからの信号の抽出方法は、第１の実施形態と同様であって、アンテナ切り替え制御器５から、アンテナの切り替えタイミングを取得し、このタイミングに同期して、アンテナＡからの信号と、アンテナＢからの信号をそれぞれメモリ等に記憶して、アンテナＡ及びアンテナＢの信号それぞれを連続して出力するようにしている。従って、同図▲３▼及び▲４▼に示されているように、信号Ａ１、Ａ２、Ａ３、・・・及び信号Ｂ１、Ｂ２、Ｂ３、・・・それぞれの時間的長さは１／ｋ秒となっている。
【００４６】
本実施形態のように、同時にアンテナＡからの信号とアンテナＢからの信号を処理することが出来るので、アンテナＡからの信号とアンテナＢからの信号により絶えず抽出でき、ダイバーシチ受信による受信品質の劣化の抑制を有効に行うことが出来る。
【００４７】
図６は、本発明の第３の実施形態を示す図である。
【００４８】
なお、同図において、図１と同じ構成要素には同じ参照符号を付して有る。
【００４９】
第２の実施形態では、同時に両アンテナの受信信号の遅延プロファイル測定を可能とする為に、それぞれ２つのサーチャとマッチドフィルタを用意していたが、第３の実施形態では、それぞれ１つのサーチャとマッチドフィルタでそれを可能とする。よって、第３の実施形態では、第２の実施形態と同様にダイバーシチ受信の効果を高まることができ、更に回路規模を小さくすることが可能である。
【００５０】
同図において、アンテナＡからの信号とアンテナＢからの信号は、アンテナ切り替え制御器５によって制御されるアンテナ切り替え器１によって交互に切り換えられる。アンテナＡからの信号とアンテナＢからの信号とが時系列に交互に配列された信号は、無線受信部２に入力される。無線受信部２では、無線受信部２の直後に設けられる、不図示のＡ／Ｄ変換器の変換精度を良くするために、可変増幅器１１、ＡＬＣ制御器８、及び、アンテナＡ用ＡＬＣ制御値メモリ９−１、アンテナＢ用ＡＬＣ制御値メモリ９−２により、無線受信部２の出力信号の電力レベルが常に一定になるように制御される。これらの詳細は動作は前述の通りである。
【００５１】
無線受信部２から出力された信号は、ブランチ切り替え部３０に入力される。ブランチ切り替え部３０は、アンテナ切り替え制御器５から、アンテナの切り替えタイミング信号を取得し、交互に伝送されてくるアンテナＡの信号とアンテナＢの信号とを分離し、それぞれを信号線▲２▼及び▲３▼に出力する。前述の実施形態では、ブランチ選択部４あるいはブランチ切り替え部２０は、メモリに対応する構成を有しており、アンテナＡからの信号とアンテナＢからの信号とを一時的に記憶して出力する構成が可能であることを述べた。この場合、メモリは実際に複数チップの信号を記憶することができるメモリでも良いが、１チップ分のみを保持できるフリップフロップのような構成でも良い。これに対し、本実施形態では、複数チップ分の信号を記憶できるアンテナＡメモリ３１−１とアンテナＢメモリ３１−２とをそれぞれ設けている。従って、ブランチ切り替え部３０そのものはメモリに対応する構成を有していなくても良い。
【００５２】
アンテナＡメモリ３１−１は、ブランチ切り替え部３０から出力されるアンテナＡからの信号を記憶し、順次出力するものである。同様に、アンテナＢメモリ３１−２は、ブランチ切り替え部３０から出力されるアンテナＢからの信号を記憶し、順次出力するものである。アンテナＡメモリ３１−１とアンテナＢメモリ３１−２は、信号を出力する際、一方が所定の数だけ信号を出力したら出力を停止し、他方が該所定の数だけ信号を出力するというように交互に信号を出力する。信号の個数とは、アンテナの切り替えによって区切られた信号の単位を１個とし、これらが何個あるかという意味である。すなわち、１回アンテナの切り替えが行われると、１個の信号が生成されるということで、例えば、アンテナＡからアンテナＢに切り替える動作が１回行われるとアンテナＡからの信号はそこで区切られるので、１個の信号を形成することになる。
【００５３】
マッチドフィルタ３２は、アンテナＡメモリ３１−１とアンテナＢメモリ３１−２から出力される信号の相関値を順次取得し、サーチャ７に出力する。本実施形態においては、アンテナＡメモリ３１−１とアンテナＢメモリ３１−２から出力される信号は、アンテナの切り替え速度に対応する時間的長さ１／（２ｋ）秒の信号がそのまま出力されるので、前記実施形態と同じサンプリング速度でマッチドフィルタ３２を駆動する場合、前記２つの実施形態に比べて２倍の速度で動作させる必要がある。すなわち、第１の実施形態では、アンテナＡかアンテナＢのいずれか一方のみを入力し、後に他のアンテナに切り替えてダイバーシチ受信を行っており、第２の実施形態では２つのマッチドフィルタを使用しているので、マッチドフィルタ３２は入力する信号の処理を遅らすことなく相関値の検出を行うことが出来たが、本実施形態では、第１の実施形態とは異なり、２つのアンテナからの信号を共に処理して相関値を求めることにより、処理精度を向上するようにしており、また、第２の実施形態とは異なり、マッチドフィルタ３２が１つだけであるので、２倍の動作速度が必要となるのである。
【００５４】
マッチドフィルタ３２は、取得した相関値とその相関値が得られた信号がアンテナＡのものかアンテナＢのものかを示す信号をサーチャ７に送る。サーチャ７は、アンテナＡからの信号から得られた相関値を使って得た逆拡散タイミングを相関値とともに、アンテナＡ用遅延プロファイルメモリ１２−１に格納し、アンテナＢからの信号から得られた相関値を使って得た逆拡散タイミングを相関値戸共に、アンテナＢ用遅延プロファイルメモリ１２−２に格納する。その後、それぞれのプロファイルメモリ１２−１、１２−２から相関値といずれのブランチの信号化を取得し、相関値が所定値以上となる逆拡散タイミングをいずれのブランチから得られたものであるかと共に、逆拡散部３のフィンガ割り当て部とＡＬＣキャンセル部１４に送信してレイト受信を行わせる。
【００５５】
図７は、図６における信号線▲１▼、▲２▼、▲３▼、▲４▼、▲５▼における信号の様子すタイミングチャートである。
【００５６】
同図においては、ｎ個（ｎは正の整数）のチップで１シンボルを表すとする。
【００５７】
図７の▲４▼、▲５▼より、図６のアンテナＡメモリ３１−１、アンテナＢメモリ３１−２はそれぞれ対応するアンテナの受信信号を１シンボル分ためた後に交互に出力する。アンテナＡメモリ３１−１及びアンテナＢメモリ３１−２が格納する信号の量が１シンボル分であるのは、本実施形態で使用するマッチドフィルタが最大１シンボル分の受信データの相関値を瞬時に計算できるものとしたからであり、必ずしも１シンボル分である必要はない。
【００５８】
信号線▲１▼の部分では、アンテナＡからの信号とアンテナＢからの信号がアンテナ切り替え器１によって、１秒間に２ｋ回（受信チップレート：ｋチップ／秒）切り換えられた結果、時間的長さが１／（２ｋ）秒の信号Ａ１、Ａ２、Ａ３、・・・（アンテナＡからの信号）と信号Ｂ１、Ｂ２、Ｂ３、・・・（アンテナＢからの信号）が交互に時系列に配列されて送信されていく。
【００５９】
ブランチ切り替え部３０の後段の信号線▲２▼及び▲３▼の部分では、信号線▲２▼にアンテナＡからの信号Ａ１、Ａ２、Ａ３、・・・のみが出力され、信号線▲３▼にアンテナＢからの信号Ｂ１、Ｂ２、Ｂ３、・・・のみが出力される。信号Ａ１とＡ２の間、あるいは、信号Ｂ１とＢ２との間に信号のうち部分があるのは、本実施形態では、ブランチ切り替え部３０は、アンテナＡからの信号とアンテナＢからの信号とを切替出力しているのみであるからである。
【００６０】
アンテナＡメモリ３１−１の後段の信号線▲４▼においては、同図の▲４▼に示されるように、アンテナＡメモリ３１−１が同図の▲２▼に示されているような信号をｎ個格納した時点でマッチドフィルタ３２に出力し、マッチドフィルタ３２に相関値の検出を行わせる。また、アンテナＢメモリ３１−２の後段の信号線▲５▼においては、同図の▲５▼に示されるように、アンテナＢメモリ３１−２が同図の▲３▼に示されるような信号をｎ個格納した時点でマッチドフィルタ３２に出力し、マッチドフィルタ３２に相関値の検出を行わせる。このとき、同図▲４▼と▲５▼に示されるように、アンテナＡメモリ３１−１からの信号とアンテナＢメモリ３１−２からの信号が同時にマッチドフィルタ３２に入力されないように、片方の信号のマッチドフィルタ３２への入力が終わった時点で、他方の信号のマッチドフィルタ３２への入力を行うようにする。したがって、アンテナＡメモリ３１−１あるいはアンテナＢメモリ３１−２から一度に出力される信号の時間的長さはｎ／（２ｋ）秒となる。また、このように、ｎ個の信号をメモリに一旦格納してから出力するので、アンテナＡあるいはアンテナＢで受信される信号との同期関係がずれてしまうが、アンテナＡメモリ３１−１あるいはアンテナＢメモリ３１−２からは直交検波された信号の他に、信号の先頭位置の同期タイミングを表すクロックのカウント値をも一緒にマッチドフィルタ３２に与えてるようにする。このようにすれば、マッチドフィルタ３２による相関値検出の処理が検波された信号と非同期となっても、検波された信号に逆拡散符号を乗算するタイミングを検出することができる。
【００６１】
なお、上記実施形態においては、逆拡散処理をデジタル信号に変換してから行う構成を前提に記載したが、全ての処理をアナログ信号のまま行うことも可能である。この場合、ＡＬＣ制御を行う必要な必ずしもなく、通常の増幅器を介在させるのみでよい。また、これに伴って、アンテナＡ用ＡＬＣ制御値メモリ、アンテナＢ用ＡＬＣ制御値メモリも必ずしも必要なくなる。更に、ＡＬＣ制御を行わないので、逆拡散部のＡＬＣキャンセラも設ける必要はなくなる。実際のアナログ回路の構成は、当業者によれば、上記実施形態を示す図面及び説明から容易に理解されるであろう。
【００６２】
【発明の効果】
本発明によれば、従来ダイバーシチ受信のための２つのアンテナそれぞれに設けられていた無線受信部を１つとすることができるので、装置の小電力化、小型化に有利な構成を提供することが出来る。
【図面の簡単な説明】
【図１】本発明の第１の実施形態を示す図である。
【図２】図１における信号線▲１▼、▲２▼、▲３▼の信号のタイミング関係を示すタイミングチャートである。
【図３】図１の信号線Ａ、Ｂ、Ｃにおける信号の流れとタイミングを示すタイミングチャートである。
【図４】本発明の第２の実施形態を示す図である。
【図５】第２の実施形態における信号線▲１▼、▲２▼、▲３▼の信号様子を示すタイミングチャートである。
【図６】本発明の第３の実施形態を示す図である。
【図７】図６における信号線▲１▼、▲２▼、▲３▼、▲４▼、▲５▼における信号の様子すタイミングチャートである。
【図８】従来のＣＤＭＡダイバーシチ受信装置の構成例を示す図である。
【符号の説明】
１      アンテナ切り替え器
２      無線受信部
３      逆拡散部
４      ブランチ選択部
５      アンテナ切り替え制御器
６、３２      マッチドフィルタ
７      サーチャ
８      ＡＬＣ制御器
９−１      アンテナＡ用ＡＬＣ制御値メモリ
９−２      アンテナＢ用ＡＬＣ制御値メモリ
１０      受信信号品質測定器
１１      可変増幅器
１２−１      アンテナＡ用遅延プロファイルメモリ
１２−２      アンテナＢ用遅延プロファイルメモリ
１３      復号器
１４      ＡＬＣキャンセル部
２０、３０      ブランチ切り替え部
２１−１      アンテナＡ用マッチドフィルタ
２１−２      アンテナＢ用マッチドフィルタ
２２−１      アンテナＡ用サーチャ
２２−２      アンテナＢ用サーチャ
３１−１      アンテナＡメモリ
３１−２      アンテナＢメモリ
【図１】
0003602974.tif 000002
【図２】
0003602974.tif 000003
【図３】
0003602974.tif 000004
【図４】
0003602974.tif 000005
【図５】
0003602974.tif 000006
【図６】
0003602974.tif 000007
【図７】
0003602974.tif 000008
【図８】
0003602974.tif 000009